(57)【要約】  接続状態支援パラメータ（ＣＳＡＰ）を決定するための方法、装置、及びシステムを提供する。本発明によれば、コア・ネットワーク要素（ＣＮＥ）は、ｅＮＢによって送られたユーザ機器（ＵＥ）に対応する無線アクセス・ネットワーク支援情報と接続解放時間情報とを取得し、ＵＥがＣＮＥにネットワーク・アクセス・サービス（ＮＡＳ）を求める要求を送信する場合、ＣＮＥは前述した情報に基づいてＮＡＳを求める要求に対応するコア・ネットワーク支援情報（ＣＮＡＩ）を決定し、その後、ＵＥに対応するＣＳＡＰとして使用するためにｅＮＢへＣＮＡＩを送信する。従って、本発明によってｅＮＢはＣＮＥによってｅＮＢへＣＮＡＩを提供することによってＵＥ及びｅＮＢに対応するＣＳＡＰを調節／最適化し、アイドル状態と接続状態との間の遷移頻度を低減し、ネットワーク・シグナリングの送信を最小化し、ＵＥの電力消費量を低減することが可能となり得る。
2016529824.tif 000002
【特許請求の範囲】
【請求項１】
ｅＮＢにおいて接続状態支援パラメータを決定するための方法であって、
ａ．ユーザ機器に対応する無線アクセス・ネットワーク支援情報と接続解放時間情報とを、対応するコア・ネットワーク要素へ送信するステップを備え、
前記方法はさらに、
ｂ．前記ユーザ機器のネットワーク・アクセス・サービスを求める要求を、前記コア・ネットワーク要素へ送信するステップと、
ｃ．前記コア・ネットワーク要素によって提供されたコア・ネットワーク支援情報を取得するステップであって、前記コア・ネットワーク支援情報は、前記ネットワーク・アクセス・サービスを求める要求に対応する、取得するステップと、
ｄ．前記コア・ネットワーク支援情報に基づいて、前記ユーザ機器に対応する接続状態支援パラメータを決定するステップと、を備え、
前記コア・ネットワーク支援情報は、
−  前記ユーザ機器に対応する不連続受信パラメータと、
−  前記ユーザ機器に対応する短い非アクティビティ・タイマ情報と、
−  前記ユーザ機器に対応する長い非アクティビティ・タイマ情報と、
のうちの少なくともいずれか１つを含む、方法。
【請求項２】
−  前記ユーザ機器の移動状態レポートを取得するステップと、
−  コア・ネットワーク要素支援情報と連携した前記移動状態レポートに基づいて、前記ｅＮＢにおいて、前記ユーザ機器に対応する接続状態支援パラメータを調節するステップと、
−  前記接続状態支援パラメータに基づいて、前記ユーザ機器に対応する前記無線アクセス・ネットワーク支援情報を更新するステップと、
をさらに備える、請求項１に記載の方法。
【請求項３】
前記コア・ネットワーク支援情報が、前記ユーザ機器に対応する、前記短い非アクティビティ・タイマ情報と、前記長い非アクティビティ・タイマ情報とを備えている場合、前記方法はさらに、
−  前記ｅＮＢと前記ユーザ機器のデータ情報送信状態と連携した前記短い非アクティビティ・タイマ情報に基づいて、前記ユーザ機器に対応するスケジューリング戦略を決定するステップを備え、
前記スケジューリング戦略は、
−  前記ｅＮＢがユーザ・ハンドオーバを決定した場合に、短い非アクティビティ・タイマが終了しておらず、データ情報送信が存在しないのであれば、前記ユーザ機器のためのハンドオーバを実行するステップと、
−  前記ｅＮＢがユーザ・ハンドオーバを決定した場合に、長い非アクティビティ・タイマが終了しており、データ情報送信が存在しないのであれば、前記ユーザ機器のための接続解放を実行するステップと、
−  前記長い非アクティビティ・タイマが終了した場合に、前記ユーザ機器のための接続解放を実行するステップと、
のうちの少なくともいずれか１つを備える、請求項１または２に記載の方法。
【請求項４】
コア・ネットワーク要素において接続状態支援パラメータを従属的に決定するための方法であって、
Ａ．ユーザ機器に対応する無線アクセス・ネットワーク支援情報と接続解放時間情報とを取得するステップを備え、
前記方法はさらに、
Ｂ．前記ユーザ機器に対応するネットワーク・アクセス・サービスを求める要求を取得するステップと、
Ｃ．前記無線アクセス・ネットワーク支援情報と前記接続解放時間情報とに基づいて、前記ネットワーク・アクセス・サービスを求める要求に対応するコア・ネットワーク支援情報を決定するステップと、
Ｄ．前記ユーザ機器に対応する接続状態支援パラメータとして使用するために、前記ネットワーク・アクセス・サービスを求める要求に対応する前記コア・ネットワーク支援情報をｅＮＢへ送信するステップとを備え、
前記コア・ネットワーク支援情報は、
−  前記ユーザ機器に対応する不連続受信パラメータと、
−  前記ユーザ機器に対応する短い非アクティビティ・タイマ情報と、
−  前記ユーザ機器に対応する長い非アクティビティ・タイマ情報と、
のうちの少なくともいずれか１つを含む、方法。
【請求項５】
前記ステップＣは、
−  前記ユーザ機器のアクティビティ動的モニタリング情報を取得するステップと、
−  前記アクティビティ動的モニタリング情報と連携した無線アクセス・ネットワーク支援情報と接続解放時間情報とに基づいて、前記ユーザ機器に対応するコア・ネットワーク支援情報を決定するステップと、
を備える、請求項４に記載の方法。
【請求項６】
接続状態支援パラメータを決定するためのｅＮＢであって、
ユーザ機器に対応する無線アクセス・ネットワーク支援情報と接続解放時間情報とを、対応するコア・ネットワーク要素へ送信するように構成された第１の支援送信モジュールを備え、
前記ｅＮＢはさらに、
前記ユーザ機器のネットワーク・アクセス・サービスを求める要求を、前記コア・ネットワーク要素へ送信するように構成された要求送信モジュールと、
前記コア・ネットワーク要素によって提供されたコア・ネットワーク支援情報を取得するように構成された第２の支援取得モジュールであって、前記コア・ネットワーク支援情報は、前記ネットワーク・アクセス・サービスを求める要求に対応する、第２の支援取得モジュールと、
前記コア・ネットワーク支援情報に基づいて、前記ユーザ機器に対応する接続状態支援パラメータを決定するように構成された第２の支援決定モジュールとを備え、
前記コア・ネットワーク支援情報は、
−  前記ユーザ機器に対応する不連続受信パラメータと、
−  前記ユーザ機器に対応する短い非アクティビティ・タイマ情報と、
−  前記ユーザ機器に対応する長い非アクティビティ・タイマ情報と、
のうちの少なくともいずれか１つを含む、ｅＮＢ。
【請求項７】
前記ユーザ機器の移動状態レポートを取得するように構成されたレポート取得モジュールと、
コア・ネットワーク要素支援情報と連携した前記移動状態レポートに基づいて、前記ｅＮＢにおいて、前記ユーザ機器に対応する接続状態支援パラメータを調節するように構成された調節モジュールと、
前記接続状態支援パラメータに基づいて、前記ユーザ機器に対応する前記無線アクセス・ネットワーク支援情報を更新するように構成された更新モジュールと、
をさらに備える、請求項６に記載のｅＮＢ。
【請求項８】
前記コア・ネットワーク支援情報が、前記ユーザ機器に対応する、前記短い非アクティビティ・タイマ情報と、前記長い非アクティビティ・タイマ情報とを備えている場合、前記ｅＮＢはさらに、
前記ｅＮＢと前記ユーザ機器のデータ情報送信状態と連携した前記短い非アクティビティ・タイマ情報に基づいて、前記ユーザ機器に対応するスケジューリング戦略を決定するように構成されたスケジューリング・モジュールを備え、
前記スケジューリング戦略は、
−  前記ｅＮＢがユーザ・ハンドオーバ決定を下した場合、短い非アクティビティ・タイマが終了しておらず、データ情報送信が存在しないのであれば、前記ユーザ機器のためのハンドオーバを実行するステップと、
−  前記ｅＮＢがユーザ・ハンドオーバ決定を下した場合、長い非アクティビティ・タイマが終了し、データ情報送信が存在しないのであれば、前記ユーザ機器のための接続解放を実行するステップと、
−  前記長い非アクティビティ・タイマが終了した場合、前記ユーザ機器のための接続解放を実行するステップと、
のうちのいずれか１つを備える、請求項６または７に記載のｅＮＢ。
【請求項９】
接続状態支援パラメータを従属的に決定するためのコア・ネットワーク要素であって、  デバイスは、
ユーザ機器に対応する無線アクセス・ネットワーク支援情報と接続解放時間情報とを取得するように構成された第１の支援取得モジュールを備え、
前記デバイスはさらに、
前記ユーザ機器に対応するネットワーク・アクセス・サービスを求める要求を取得するように構成された要求取得モジュールと、
前記無線アクセス・ネットワーク支援情報と前記接続解放時間情報とに基づいて、前記ネットワーク・アクセス・サービスを求める要求に対応するコア・ネットワーク支援情報を決定するように構成された第２の支援決定モジュールと、
前記ユーザ機器に対応する接続状態支援パラメータとして使用するために、前記ネットワーク・アクセス・サービスを求める要求に対応する前記コア・ネットワーク支援情報を、ｅＮＢへ送信するように構成された第２の支援送信モジュールとを備え、
前記コア・ネットワーク支援情報は、
−  前記ユーザ機器に対応する不連続受信パラメータと、
−  前記ユーザ機器に対応する短い非アクティビティ・タイマ情報と、
−  前記ユーザ機器に対応する長い非アクティビティ・タイマ情報と、
のうちの少なくともいずれか１つを含む、コア・ネットワーク要素。
【請求項１０】
前記第２の支援決定モジュールは、
−  前記ユーザ機器のアクティビティ動的モニタリング情報を取得し、
−  前記アクティビティ動的モニタリング情報と連携した無線アクセス・ネットワーク支援情報と前記接続解放時間情報とに基づいて、前記ユーザ機器に対応するコア・ネットワーク支援情報を決定するように構成された、請求項９に記載のコア・ネットワーク要素。
【請求項１１】
前記コア・ネットワーク要素はＭＭＥまたはＳＧＳＮを備える、請求項９または１０に記載のコア・ネットワーク要素。
【請求項１２】
接続状態支援パラメータを決定するためのシステムであって、請求項６乃至８のいずれか１項に記載のｅＮＢと、請求項９乃至１１のいずれか１項に記載のコア・ネットワーク要素と、を備える、システム。
【発明の詳細な説明】
【技術分野】
【０００１】
本発明は、通信の分野に関し、特に、接続状態支援パラメータを決定する技術に関する。
【背景技術】
【０００２】
接続状態とアイドル状態との間のＵＥ（ユーザ機器）状態遷移を最小化するために、たとえばハンドオーバ挙動および測定レポートのパラメータの値を修正することによって、接続状態におけるシグナリング・オーバヘッドを低減し、たとえばＤＲＸ（不連続受信）サイクルを調節することによって、電力消費量を低減しながら、ＵＥを接続状態に維持するための１つまたは複数の方法を規定することが必要とされる。
【０００３】
上記方法を達成するために、ｅＮＢ（エボルブド・ノードＢ）は、ユーザ非アクティビティ・タイマを非常に長い値に適用し得る。その目的は、頻繁なＲＲＣ（ラジオ・リソース制御）接続確立のシグナリング・オーバヘッドを低減することである。この方法の主な利点は、プロトコルに対する仕様変更が無く、シグナリング・オーバヘッドを大幅に低減することである。
【０００４】
しかしながら、この方法は多くの問題を有する。
【０００５】
第１に、ＵＥは、たとえば、ＵＥタイミング先行の維持、定期的なチャネル・サウンディング、および測定レポートのような少量のデータを頻繁に送ることになるため、ＵＥを接続状態に維持することは、相当な量のＵＥ電力を消費するであろう。
【０００６】
第２に、少量のデータ送信を行う非常に多くのＵＥをサポートするための制御チャネルが十分であるか否かに関わらず、長時間接続は、非常に長いパケット到着間時間によって、制御チャネルを極めて非効率にし得る。
【０００７】
第３に、高速移動中のＵＥの場合、ＨＯシグナリングが増加し、ＲＲＣ接続確立のシグナリングを超過さえするであろう。
【０００８】
上記問題は、ＤＲＸパラメータを調節すること、非アクティビティ時間を調節すること、および各ＵＥに特有の「移動状態」を評価すること、およびその他の手法によって解決され得るが、上記方法のすべてが、適切な設定を必要とし、さもなければ、接続状態にある多くのＵＥは、ネットワーク・リソースを浪費し、ハンドオーバ関連シグナリングおよびＵＥ電力を浪費するであろう。
【発明の概要】
【発明が解決しようとする課題】
【０００９】
本発明の目的は、接続状態支援パラメータを決定するための方法、装置、およびシステムを提供することである。
【課題を解決するための手段】
【００１０】
本発明の１つの態様によれば、ｅＮＢにおいて接続状態支援パラメータを決定するための方法が提供され、この方法は、以下のステップを備える。
ａ．ユーザ機器に対応する無線アクセス・ネットワーク支援情報と接続解放時間情報とを、対応するコア・ネットワーク要素へ送信するステップ。
この方法はさらに、以下を備える。
ｂ．ユーザ機器のネットワーク・アクセス・サービスを求める要求をコア・ネットワーク要素へ送信するステップ、
ｃ．コア・ネットワーク要素によって提供されたコア・ネットワーク支援情報を取得するステップであり、コア・ネットワーク支援情報は、ネットワーク・アクセス・サービスを求める要求に対応する、及び、
ｄ．コア・ネットワーク支援情報に基づいて、ユーザ機器に対応する接続状態支援パラメータを決定するステップ。
【００１１】
コア・ネットワーク支援情報は、以下のうちの少なくともいずれか１つを含む。
−  ユーザ機器に対応する不連続受信パラメータ、
−  ユーザ機器に対応する短い非アクティビティ・タイマ情報、及び、
−  ユーザ機器に対応する長い非アクティビティ・タイマ情報。
【００１２】
本発明の別の態様によれば、コア・ネットワーク要素において接続状態支援パラメータを従属的に決定するための方法がさらに提供され、この方法は、以下のステップを備える。
Ａ．ユーザ機器に対応する無線アクセス・ネットワーク支援情報と接続解放時間情報とを取得するステップ。
この方法はさらに、以下を備える。
Ｂ．ユーザ機器に対応するネットワーク・アクセス・サービスを求める要求を取得するステップ、
Ｃ．無線アクセス・ネットワーク支援情報と接続解放時間情報とに基づいて、ネットワーク・アクセス・サービスを求める要求に対応するコア・ネットワーク支援情報を決定するステップ、及び、
Ｄ．ユーザ機器に対応する接続状態支援パラメータとして使用するために、ネットワーク・アクセス・サービスを求める要求に対応するコア・ネットワーク支援情報をｅＮＢへ送信するステップ。
【００１３】
コア・ネットワーク支援情報は、以下のうちの少なくともいずれか１つを含む。
−  ユーザ機器に対応する不連続受信パラメータ、
−  ユーザ機器に対応する短い非アクティビティ・タイマ情報、及び、
−  ユーザ機器に対応する長い非アクティビティ・タイマ情報。
【００１４】
本発明の別の態様によれば、接続状態支援パラメータを決定するためのｅＮＢがさらに提供され、ｅＮＢは、
ユーザ機器に対応する無線アクセス・ネットワーク支援情報と接続解放時間情報とを、対応するコア・ネットワーク要素へ送信するように構成された第１の支援送信モジュールを備える。
【００１５】
ｅＮＢはさらに以下を備える。
ユーザ機器のネットワーク・アクセス・サービスを求める要求を、コア・ネットワーク要素へ送信するように構成された要求送信モジュール、
コア・ネットワーク要素によって提供されたコア・ネットワーク支援情報を取得するように構成された第２の支援取得モジュールであって、コア・ネットワーク支援情報は、ネットワーク・アクセス・サービスを求める要求に対応する、第２の支援取得モジュール、及び、
コア・ネットワーク支援情報に基づいて、ユーザ機器に対応する接続状態支援パラメータを決定するように構成された第２の支援決定モジュール。
【００１６】
コア・ネットワーク支援情報は、以下のうちの少なくともいずれか１つを含む。
−  ユーザ機器に対応する不連続受信パラメータ、
−  ユーザ機器に対応する短い非アクティビティ・タイマ情報、及び、
−  ユーザ機器に対応する長い非アクティビティ・タイマ情報。
【００１７】
本発明の別の態様によれば、接続状態支援パラメータを従属的に決定するためコア・ネットワーク要素がさらに提供され、デバイスは、
ユーザ機器に対応する無線アクセス・ネットワーク支援情報と接続解放時間情報とを取得するように構成された第１の支援取得モジュールを備える。
【００１８】
デバイスはさらに以下を備える。
ユーザ機器に対応するネットワーク・アクセス・サービスを求める要求を取得するように構成された要求取得モジュール、
無線アクセス・ネットワーク支援情報と接続解放時間情報とに基づいて、ネットワーク・アクセス・サービスを求める要求に対応するコア・ネットワーク支援情報を決定するように構成された第２の支援決定モジュール、及び、
ユーザ機器に対応する接続状態支援パラメータとして使用するために、ネットワーク・アクセス・サービスを求める要求に対応するコア・ネットワーク支援情報をｅＮＢへ送信するように構成された第２の支援送信モジュール。
【００１９】
コア・ネットワーク支援情報は、以下のうちの少なくともいずれか１つを含む。
−  ユーザ機器に対応する不連続受信パラメータ、
−  ユーザ機器に対応する短い非アクティビティ・タイマ情報、及び、
−  ユーザ機器に対応する長い非アクティビティ・タイマ情報。
【００２０】
本発明の別の態様によれば、前述したようなｅＮＢと、前述したようなコア・ネットワーク要素とを備え、接続状態支援パラメータを決定するためのシステムがさらに提供される。
【００２１】
先行技術と比較して、本発明によれば、コア・ネットワーク要素は、ｅＮＢによって送信されたユーザ機器に対応する無線アクセス・ネットワーク支援情報と接続解放時間情報とを取得し、ユーザ機器がコア・ネットワーク要素へネットワーク・アクセス・サービスを求める要求を送信した場合、コア・ネットワーク要素は、無線アクセス・ネットワーク支援情報と接続解放時間情報とに基づいて、ネットワーク・アクセス・サービスを求める要求に対応するコア・ネットワーク支援情報を決定し、その後、ユーザ機器に対応する接続状態支援パラメータとして使用するために、コア・ネットワーク支援情報をｅＮＢへ送信する。したがって、本発明は、ｅＮＢがコア・ネットワーク要素によってｅＮＢへコア・ネットワーク支援情報を提供することによって、ｅＮＢおよびユーザ機器に対応する接続状態支援パラメータを調節／最適化し、アイドル状態と接続状態との間の遷移頻度を低減し、ネットワーク・シグナリングの送信を最小化し、ユーザ機器電力消費量を低減することを可能にし得る。
【００２２】
さらに、本発明はさらに、ｅＮＢによって、ユーザ機器の移動状態レポートを取得し、コア・ネットワーク要素支援情報と連携した移動状態レポートに基づいて、ユーザ機器に対応する接続状態支援パラメータをｅＮＢにおいて調節し、さらに、接続状態支援パラメータに基づいて、ユーザ機器に対応する無線アクセス・ネットワーク支援情報を更新し得る。したがって、本発明は、ユーザ機器の最も直近の移動状態レポートに基づいて無線アクセス・ネットワーク支援情報を更新し、無線アクセス・ネットワーク支援情報のユーザ機器との適応性を高め得る。
【００２３】
さらに、コア・ネットワーク支援情報が、ユーザ機器に対応する長い非アクティビティ・タイマ情報および短い非アクティビティ・タイマ情報を含む場合、本発明はまた、ｅＮＢとユーザ機器のデータ情報送信状態と連携した長い非アクティビティ・タイマ情報および短い非アクティビティ・タイマ情報に基づいて、ユーザ機器に対応するスケジューリング・ポリシを決定し得る。したがって、本発明は、短い非アクティビティ・タイマ情報に基づいて、ユーザ機器を解放するか、遷移するのかを決定し得る。これは、アイドル状態と接続状態との間の遷移頻度を低減し、ネットワーク・シグナリングを最小化し、ユーザ機器電力消費量を低減する。
【００２４】
さらに、本発明はまた、ユーザ機器のアクティビティ動的モニタリング情報を取得し、アクティビティ動的モニタリング情報と連携した無線アクセス・ネットワーク支援情報と接続解放時間情報とに基づいて、ユーザ機器に対応するコア・ネットワーク支援情報を決定し得る。これによって、ユーザ機器とのコア・ネットワーク支援情報の適応性を高める。
【００２５】
本発明の他の特徴、目的、および利点が、添付図面を参照してなされる非限定的な実施形態の詳細な記述を読み取ることによってより明確になるであろう。
【図面の簡単な説明】
【００２６】
【図１】本発明の１つの態様に従って接続状態支援パラメータを決定するためのコア・ネットワーク要素デバイスおよびｅＮＢの概略図である。
【図２】本発明の１つの好適な実施形態に従ってｅＮＢが接続状態支援パラメータを決定するための概略図である。
【図３】本発明の別の好適な実施形態に従ってｅＮＢが接続状態支援パラメータを決定するための概略図である。
【図４】本発明の別の態様に従って、コア・ネットワーク要素デバイスとｅＮＢとの協調によって接続状態支援パラメータを決定するための方法のフロー図である。
【図５】本発明の１つの好適な実施形態に従って、コア・ネットワーク要素デバイスとｅＮＢとの協調によって接続状態支援パラメータを決定するための方法のフロー図である。
【図６】本発明の１つの好適な実施形態に従って、ユーザ機器に対応するスケジューリング戦略を決定するための方法のフロー図である。
【発明を実施するための形態】
【００２７】
図面における同一または類似の参照符号は、同一または類似の構成要素部品を表わす。
【００２８】
以下に、本発明の詳細がさらに、添付図面と組み合わされて提供されるであろう。
【００２９】
図１は、本発明の１つの態様に従って接続状態支援パラメータを決定するためのｅＮＢおよびコア・ネットワーク要素デバイスの概略図であり、ｅＮＢは、第１の支援送信モジュール１１と、要求送信モジュール１２と、第２の支援取得モジュール１３と、第２の支援決定モジュール１４とを備え、コア・ネットワーク要素は、第１の支援取得モジュール２１と、要求取得モジュール２２と、第２の支援決定モジュール２３と、第２の支援送信モジュール２４とを備える。
【００３０】
具体的には、ｅＮＢの第１の支援送信モジュール１１は、ユーザ機器に対応する無線アクセス・ネットワーク支援情報と接続解放時間情報とを、対応するコア・ネットワーク要素へ送信し、それに相応して、コア・ネットワーク要素の第１の支援取得モジュール２１は、ユーザ機器に対応する無線アクセス・ネットワーク支援情報と接続解放時間情報とを取得し、ｅＮＢの要求送信モジュール１２は、ユーザ機器のネットワーク・アクセス・サービスを求める要求をコア・ネットワーク要素へ送信し、それに相応して、コア・ネットワーク要素の要求取得モジュール２２は、ユーザ機器に対応するネットワーク・アクセス・サービスを求める要求を取得し、第２の支援決定モジュール２３は、無線アクセス・ネットワーク支援情報と接続解放時間情報とに基づいて、ネットワーク・アクセス・サービスを求める要求に対応するコア・ネットワーク支援情報を決定し、第２の支援送信モジュール２４は、ユーザ機器に対応する接続状態支援パラメータとして使用するために、ネットワーク・アクセス・サービスを求める要求に対応するコア・ネットワーク支援情報をｅＮＢへ送信し、それに相応して、ｅＮＢの第２の支援取得モジュール１３は、コア・ネットワーク要素によって提供されたコア・ネットワーク支援情報を取得し、コア・ネットワーク支援情報は、ネットワーク・アクセス・サービスを求める要求に対応しており、第２の支援決定モジュール１４は、コア・ネットワーク支援情報に基づいて、ユーザ機器に対応する接続状態支援パラメータを決定する。
【００３１】
本明細書において、ｅＮＢはＲＡＮ（無線アクセス・ネットワーク（Ｒａｄｉｏ  Ａｃｃｅｓｓ  Ｎｅｔｗｏｒｋ））に存在する一方、コア・ネットワーク要素はＣＮ（コア・ネットワーク（Ｃｏｒｅ  Ｎｅｔｗｏｒｋ））に存在し、ここで、コア・ネットワーク要素は、１つもしくは複数のＭＭＥ（移動管理エンティティ（Ｍｏｂｉｌｉｔｙ  Ｍａｎａｇｅｍｅｎｔ  Ｅｎｔｉｔｙ））または１つもしくは複数のＳＧＳＮ（サービス提供ＧＰＲＳサポート・ノード（Ｓｅｒｖｉｎｇ  ＧＰＲＳ  ＳＵＰＰＯＲＴ  ＮＯＤＥ））を備える。
【００３２】
ｅＮＢの第１の支援送信モジュール１１は、ユーザ機器に対応する無線アクセス・ネットワーク支援情報と接続解放時間情報とを、対応するコア・ネットワーク要素へ送信し、それに相応して、コア・ネットワーク要素の第１の支援取得モジュール２１は、ユーザ機器に対応する無線アクセス・ネットワーク支援情報と接続解放時間情報とを取得する。
【００３３】
具体的には、ｅＮＢの第１の支援送信モジュール１１は、ＲＡＮにおいて、たとえばＳ１−ＡＰプロトコルを用いることによって、ユーザ機器に対応する無線アクセス・ネットワーク支援情報と接続解放時間情報とを送信する。
【００３４】
この実施形態では、接続解放時間情報は、たとえば、中でも接続確立時間、解放要求時間、解放完了時間のような、接続処理中のユーザ機器の関連時間情報を含む。
【００３５】
無線アクセス・ネットワーク支援情報（ＲＡＮ支援情報）は、以下のうちの少なくともいずれか１つを含む。
−  ユーザ機器に対応する不連続受信パラメータ、
−  ユーザ機器に対応する短い非アクティビティ・タイマ情報、
−  ユーザ機器に対応する長い非アクティビティ・タイマ情報、
−  ユーザ機器のパケット到着間時間の統計、及び、
−  ユーザ機器の非アクティビティ・タイマの現在のカウント。
【００３６】
好適には、ｅＮＢは、ＲＲＣ接続解放要求をユーザ機器へ送信し、ユーザ機器に対応するコンテキスト解放要求をコア・ネットワーク要素へ送信し、コア・ネットワーク要素は、ユーザ機器に対応するコンテキスト解放要求に基づいて、ユーザ機器に対応するコンテキスト解放コマンドをｅＮＢへ送信し、ｅＮＢは、コンテキスト解放コマンドに基づいて、ユーザ機器への接続を解放し、ユーザ機器のコンテキスト解放コマンド完了情報をコア・ネットワーク要素へ送信する。
【００３７】
この実施形態では、コンテキスト解放コマンド完了情報は、ユーザ機器に対応する無線アクセス・ネットワーク支援情報と接続解放時間情報とを含む。
【００３８】
すなわち、ｅＮＢでは、ｅＮＢが、
−  ユーザ機器へＲＲＣ接続解放要求を送信し、ユーザ機器のコンテキスト解放要求を、対応するコア・ネットワーク要素へ送信し、
−  コンテキスト解放要求に対応する、ユーザ機器のコンテキスト解放コマンドを取得し、コンテキスト解放コマンドは、コア・ネットワーク要素によって送信され、
−  ユーザ機器のコンテキスト解放コマンドに基づいて、ユーザ機器のコンテキスト解放コマンドに対応するユーザ機器のコンテキスト解放コマンド完了情報をコア・ネットワーク要素へ送信し、ユーザ機器のコンテキスト解放コマンド完了情報は、ユーザ機器に対応する無線アクセス・ネットワーク支援情報と接続解放時間情報とを含む。
【００３９】
コア・ネットワーク要素では、コア・ネットワーク要素は、
−  ユーザ機器のコンテキスト解放要求を取得し、
−  ユーザ機器のコンテキスト解放要求に対応するユーザ機器のコンテキスト解放コマンドを、コンテキスト解放要求に対応するｅＮＢへ送信し、
−  ユーザ機器のコンテキスト解放コマンドに対応するユーザ機器のコンテキスト解放コマンド完了情報を取得し、ユーザ機器のコンテキスト解放コマンド完了情報は、ｅＮＢによって提供され、ユーザ機器に対応する無線アクセス・ネットワーク支援情報と接続解放時間情報とを含む。
【００４０】
すなわち、ユーザ機器がｅＮＢとの接続を解放した場合、ｅＮＢは、ユーザ機器に対応する無線アクセス・ネットワーク支援情報と接続解放時間情報とを、コア・ネットワーク要素へ送信するであろう。
【００４１】
より好適には、ｅＮＢは、予め決定された解放条件に基づいて、ＲＲＣ接続解放要求をユーザ機器へ送信し得る。予め決定された解放条件は、以下のうちの少なくともいずれか１つを含む。
−  ユーザ機器に対応する、より長い非アクティビティ・タイマが終了する。
−  ユーザ機器に対応する、短い非アクティビティ・タイマが終了し、現在転送されているデータ情報がないケースにおいて、ユーザ機器に対する補正解放を実行する。
【００４２】
ｅＮＢの要求送信モジュール１２は、コア・ネットワーク要素へ、ユーザ機器のネットワーク・アクセス・サービスを求める要求を送信し、それに相応して、コア・ネットワーク要素の要求取得モジュール２２は、ユーザ機器に対応するネットワーク・アクセス・サービスを求める要求を取得する。
【００４３】
具体的には、ｅＮＢの要求送信モジュール１２は、ユーザ機器のネットワーク・アクセス・サービスを求める要求を取得し、ネットワーク・アクセス・サービスを求める要求は、要求送信モジュール１２へ、ユーザ機器によって送信され得る。たとえば、ユーザ機器が、送信のために、新たな少量のデータを取得した場合、ユーザ機器は、ｅＮＢの要求送信モジュール１２へ、ネットワーク・アクセス・サービスを求める要求を送信し、その後、ｅＮＢの要求送信モジュール１２は、ＮＡＳプロトコルを用いて、ユーザ機器のネットワーク・アクセス・サービスを求める要求を、コア・ネットワーク要素へ送信する。
【００４４】
それに相応して、要求取得モジュール２２は、ＮＡＳプロトコルを用いて、ｅＮＢとのインタラクションを介して、ユーザ機器に対応するネットワーク・アクセス・サービスを求める要求を取得する。
【００４５】
ここで、ユーザ機器と、第１の支援送信モジュール１１および／または第１の支援取得モジュール２１における無線アクセス・ネットワーク支援情報と接続解放時間情報とに対応するユーザ機器とは、同じ機器であり、コア・ネットワーク要素は、無線アクセス・ネットワーク支援情報と接続解放時間情報とに対応するユーザ機器のユーザ機器ＩＤ情報を、第１の支援取得モジュール２１に記録する。コア・ネットワーク要素が、ユーザ機器のネットワーク・アクセス・サービスを求める要求を取得した場合、コア・ネットワーク要素は、ネットワーク・アクセス・サービスを求める要求に対応するユーザ機器のユーザ機器ＩＤ情報を認証する。コア・ネットワーク要素が、ユーザ機器ＩＤ情報に対応する無線アクセス・ネットワーク支援情報と接続解放時間情報とを含むのであれば、第２の支援判定モジュール２３のステップが連続して実行される。
【００４６】
ここで、当業者であれば、ユーザ機器は、１つまたは複数のｅＮＢを介して、ネットワーク・アクセス・サービスを求める要求を送信し得ることを理解すべきである。つまり、ユーザ機器は、第１のｅＮＢの第１の支援送信モジュール１１を介して、ユーザ機器に対応する無線アクセス・ネットワーク支援情報と接続解放時間情報とを、対応するコア・ネットワーク要素へ送信し得る。その後、ユーザ機器が、第１のｅＮＢまたは第２のｅＮＢの要求送信モジュール１２を介して、コア・ネットワーク要素へ、ユーザ機器のネットワーク・アクセス・サービスを求める要求を送信する。
【００４７】
第２の支援決定モジュール２３は、無線アクセス・ネットワーク支援情報と接続解放時間情報とに基づいて、ネットワーク・アクセス・サービスを求める要求に対応するコア・ネットワーク支援情報を決定する。
【００４８】
具体的には、コア・ネットワーク要素の第２の支援決定モジュール２３は、接続解放時間情報における複数の時間パラメータと、無線アクセス・ネットワーク支援情報における様々な種類のパラメータとによって、無線アクセス・ネットワーク支援情報と接続解放時間情報とに基づいて、コア・ネットワーク支援情報を決定し、コア・ネットワーク支援情報は、ネットワーク・サービスを求める要求に対応する。ネットワーク・サービスを求める要求は、ユーザ機器のユーザ機器ＩＤを含むので、コア・ネットワーク支援情報はまた、ユーザ機器にも対応する。
【００４９】
本明細書において、コア・ネットワーク支援情報は、以下のうちの少なくともいずれか１つを含む。
−  ユーザ機器に対応する不連続受信パラメータ（ＤＲＸパラメータ）、
−  ユーザ機器に対応する短い非アクティビティ・タイマ情報、及び、
−  ユーザ機器に対応する、より長い非アクティビティ・タイマ情報。
【００５０】
好適には、コア・ネットワーク支援情報はさらに以下を含む。
−  ユーザ機器に対応するパケット到着間時間情報。
【００５１】
ここで、上記パラメータは、以下のように説明される。
【００５２】
１．ユーザ機器に対応する不連続受信パラメータ。不連続受信パラメータは、ＤＲＸサイクルおよびｏｎ持続タイマを含む。
【００５３】
接続モードでは、ユーザ機器のＤＲＸサイクルは、ＰＤＣＣＨを不連続的にモニタするために使用される。ＤＲＸサイクルの値が長いほど、より多くの電力消費量が節約される。しかし、情報喪失の可能性も高くなり、ＤＲＸサイクルの値がより短くなると、情報を喪失する可能性も低くなり、その間、効率が低下する。異なるアプリケーションについては、異なるトラフィック・モデル／機能により、ＤＲＸサイクルの値もまた異なる。ＳＤＤＴＥ  ＵＥのために適切な値を設定することは、ｅＮＢのために注意深くなされるものとする。
【００５４】
ＭＡＣレイヤでは、ｏｎ持続タイマは、ＤＲＸサイクルの開始時において、連続したＰＤＣＣＨサブフレームの数を指定する。ＤＲＸサイクル自体と同様に、ｅＮＢはまた、ＳＤＤＴＥ  ＵＥのための適切な値を設定できる。
【００５５】
２．ユーザ機器に対応する、短い非アクティビティ・タイマ情報、および、より長い非アクティビティ・タイマ情報。
【００５６】
新たなＲＲＣ接続確立を初期化するためのシグナリングは、ハンドオーバ手順におけるシグナリングよりもはるかに大きいものではないので、非アクティビティ・タイマが終了する前に１つよりも多くのハンドオーバ手順が存在するのであれば、シグナリング・オーバヘッドはより大きくなるであろう。
【００５７】
したがって、２つの非アクティビティ・タイマ、すなわち、短い非アクティビティ・タイマと、より長い非アクティビティ・タイマとが存在し、両方とも、ｅＮＢが、ＵＥを接続モードまたはアイドル・モードに維持するための効率的な決定を支援するための支援情報として提供される。短い非アクティビティ・タイマが終了すると、ユーザ機器は、ｅＮＢがより長い非アクティビティ・タイマの終了前にＵＥがハンドオーバを実行することを決定すると直ちに、アイドル・モードへハンドオーバされるであろう。
【００５８】
ハンドオーバが直ちに発生し、ハンドオーバされるべきデータが無い場合、ＵＥを接続モードに維持することは、シグナリング節約の目的のために有益ではない。このスキームは、ＵＥの移動に関する予測を必要としない接続モードにＵＥを維持する時間を最適化する。
【００５９】
３．ユーザ機器に対応するパケット到着間時間情報。
【００６０】
ＲＡＮでは、ＵＥを接続モードに維持することが考慮されるパケット到着間時間／ＵＥ非アクティビティ・サイクルのためのより正確な最大値に関する結論を下すことはできない。アイドル・モードでは、移動に関するあらゆる履歴情報が、ＵＥが移動無しであるか新たなｅＮＢに存在するかに関わらず、新たなデータ・アクセスにおいて利用不可能になるため、ｅＮＢにおいて、パケット到着間時間／ＵＥ非アクティビティ期間のためのより正確な最大値を発見するのに、ある程度の時間を要し得る。
【００６１】
パケット到着分布は、長い接続モードの効率にインパクトを与えるであろう。たとえば、長い接続を維持することは、高密度パケット到着のケースにおいて最も効率的である。しかし、他のケースでは、低密度パケット到着は、長い接続をむしろ非効率的にするであろう。さらに、たとえば、多くのＵＥが接続モードに維持されるが、まれにしかアクティブにならない場合におけるＰＵＣＣＨリソースのように、ラジオ・リソース使用の負の効果も存在し得る。
【００６２】
したがって、接続状態またはアイドル状態に維持するために、各ＵＥを指定することによって、周波数（小さな）データ送信のためのシグナリング負荷を低減することが有利である。データ到着時間情報が定義され得、直前の接続時間においてｅＮＢによって収集され得、次の接続では、コア・ネットワーク要素が、パケット到着時間情報を新たなｅＮＢへ転送するであろう。したがって、新たなｅＮＢは、ＵＥをどれくらい長く接続モードに維持するのかについて経験的な決定を行い得る。
【００６３】
好適には、第２の支援決定モジュール２３は、ユーザ機器のアクティビティ動的モニタリング情報を取得し、アクティビティ動的モニタリング情報と連携した無線アクセス・ネットワーク支援情報と接続解放時間情報とに基づいて、ユーザ機器に対応するコア・ネットワーク支援情報を決定し得る。
【００６４】
具体的には、第２の支援決定モジュール２３は、たとえば、接続情報、ハンドオーバ情報、移動情報、状態情報等のようなユーザ機器のアクティビティ動的モニタリング情報をリアル・タイムで取得するためにｅＮＢと相互作用し、アクティビティ動的モニタリング情報と連携した無線アクセス・ネットワーク支援情報と接続解放時間情報とに基づいて、ユーザ機器に対応するコア・ネットワーク支援情報を決定する。
【００６５】
第２の支援送信モジュール２４は、ユーザ機器に対応する接続状態支援パラメータとして使用するために、ネットワーク・アクセス・サービスを求める要求に対応するコア・ネットワーク支援情報をｅＮＢへ送信し、それに相応して、ｅＮＢの第２の支援取得モジュール１３が、コア・ネットワーク要素によって提供されたコア・ネットワーク支援情報を取得する。コア・ネットワーク支援情報は、ネットワーク・アクセス・サービスを求める要求に対応する。
【００６６】
具体的には、第２の支援送信モジュール２４は、ネットワーク・アクセス・サービスを求める要求に対応するコア・ネットワーク支援情報をｅＮＢへ直接的に送信するか、または、ユーザ機器に対応する接続状態支援パラメータとして使用するために、ネットワーク・アクセス・サービスを求める要求に対応する、Ｓ１−ＡＰ初期コンテキスト確立要求の情報と連携したコア・ネットワーク支援情報を、ｅＮＢへ送信する。
【００６７】
それに相応して、ｅＮＢの第２の支援取得モジュール１３は、コア・ネットワーク要素によって提供されたコア・ネットワーク支援情報を取得する。コア・ネットワーク支援情報は、ネットワーク・アクセス・サービスを求める要求に対応する。
【００６８】
第２の支援決定モジュール１４は、コア・ネットワーク支援情報に基づいて、ユーザ機器に対応する接続状態支援パラメータを決定する。
【００６９】
具体的には、ｅＮＢの第２の支援決定モジュール１４は、コア・ネットワーク支援情報に基づいて、ユーザ機器に対応する接続状態支援パラメータとしてコア・ネットワーク支援情報を採用し、これによって、ユーザ機器およびｅＮＢが接続状態にある場合、ｅＮＢは、ユーザ機器に対応する接続状態支援パラメータを用いてユーザ機器の接続状態を制御する。
【００７０】
図２は、本発明の１つの好適な実施形態に従って、ｅＮＢが、接続状態支援パラメータを決定するための概略図を図示しており、具体的には、ｅＮＢは、第１の支援送信モジュール１１’、要求送信モジュール１２’、第２の支援取得モジュール１３’、第２の支援決定モジュール１４’、レポート取得モジュール１５’、調節モジュール１６’、および更新モジュール１７’を備える。具体的には、第１の支援送信モジュール１１’が、ユーザ機器に対応する無線アクセス・ネットワーク支援情報と接続解放時間情報を、対応するコア・ネットワーク要素へ送信し、要求送信モジュール１２’は、ユーザ機器のネットワーク・アクセス・サービスを求める要求を、コア・ネットワーク要素へ送信し、第２の支援取得モジュール１３’は、コア・ネットワーク要素によって提供されたコア・ネットワーク支援情報を取得し、コア・ネットワーク支援情報は、ネットワーク・アクセス・サービスを求める要求に対応し、第２の支援決定モジュール１４’は、コア・ネットワーク支援情報に基づいて、ユーザ機器に対応する接続状態支援パラメータを決定し、レポート取得モジュール１５’は、ユーザ機器の移動状態レポートを取得し、調節モジュール１６’は、コア・ネットワーク要素支援情報と連携した移動状態レポートに基づいて、ｅＮＢにおいて、ユーザ機器に対応する接続状態支援パラメータを調節し、更新モジュール１７’は、接続状態支援パラメータに基づいて、ユーザ機器に対応する無線アクセス・ネットワーク支援情報を更新する。
【００７１】
本明細書において、ｅＮＢの第１の支援送信モジュール１１’、要求送信モジュール１２’、第２の支援取得モジュール１３’、および第２の支援決定モジュール１４’は、ここでは詳述されないであろうが、参照によって組み込まれている図１に図示された対応するモジュールと同一または実質的に同一である。
【００７２】
レポート取得モジュール１５’は、ユーザ機器の移動状態レポートを取得する。
【００７３】
具体的には、レポート取得モジュール１５’は、ユーザ機器との相互作用によって、ユーザ機器の移動状態レポートを取得し、移動状態レポートは、たとえば、アイドル／接続状態におけるユーザ機器の移動状態、ハンドオーバ時間、セルの遷移、アイドル時間、およびその他の情報を含む。
【００７４】
ここで、好適には、ｅＮＢは、ユーザ機器がｅＮＢとの接続を確立した場合にのみ、ユーザ機器の移動状態レポートを取得し、この事例では、移動状態レポートは、たとえば、アイドル状態におけるユーザ機器の移動状態、ハンドオーバ時間、セルの遷移、アイドル時間、およびその他の情報を含む。
【００７５】
その理由は、状態遷移とハンドオーバ・シグナリングとの間の最適なトレード・オフは、セル・サイズとＵＥの移動とに依存することである。したがって、どれくらい多くのハンドオーバ・シグナリングが期待され得るのかを評価できるようにするために、ＵＥを接続モードにより長い時間維持することに関する決定は、ＵＥの移動に関する予測を必要とするであろう。
【００７６】
Ｈｅｔｎｅｔ移動ＷＩによれば、ユーザ機器は、ＲＲＣ接続設定時に、ネットワークへ移動情報を提供するべきである。したがって、直近の接続からユーザの移動状態を記憶することが必要とされておらず、代わりに、ユーザ機器が、ＲＲＣ接続の確立を実行した場合に、ユーザ機器の移動状態レポートが取得される。
【００７７】
調節モジュール１６’は、たとえば、ユーザのＤＲＸパラメータおよび／または非アクティビティ・タイマ情報等を調節すること等のように、コア・ネットワーク要素支援情報と連携した移動状態レポートに基づいて、ｅＮＢにおいて、ユーザ機器に対応する接続状態支援パラメータを調節する。
【００７８】
更新モジュール１７’は、接続状態支援パラメータに基づいて、ユーザ機器に対応する無線アクセス・ネットワーク支援情報を更新する。
【００７９】
ここで、更新は、即時的な更新であり得、さらに、ユーザ機器およびｅＮＢが接続解放を実行している場合、ｅＮＢは、記憶のために、無線アクセス・ネットワーク支援情報を、コア・ネットワーク要素へ送信する必要があるので、ユーザ機器に対応する無線アクセス・ネットワーク支援情報はまた、ユーザ機器とｅＮＢとが、接続解放を実行した場合、接続状態支援パラメータに基づいてさらに更新され得、その間、更新された無線アクセス・ネットワーク支援情報が、コア・ネットワーク要素へ送信される。
【００８０】
図３は、本発明の別の好適な実施形態に従ってｅＮＢが接続状態支援パラメータを決定するための概要図を図示しており、具体的には、ｅＮＢは、第１の支援送信モジュール１１”、要求送信モジュール１２”、第２の支援取得モジュール１３”、第２の支援決定モジュール１４”、およびスケジューリング・モジュール１８”を備える。具体的には、第１の支援送信モジュール１１”は、ユーザ機器に対応する無線アクセス・ネットワーク支援情報と接続解放時間情報とを、対応するコア・ネットワーク要素へ送信し、要求送信モジュール１２”は、ユーザ機器のネットワーク・アクセス・サービスを求める要求を、コア・ネットワーク要素へ送信し、第２の支援取得モジュール１３”は、コア・ネットワーク要素によって提供されたコア・ネットワーク支援情報を取得し、コア・ネットワーク支援情報は、ネットワーク・アクセス・サービスを求める要求に対応し、第２の支援決定モジュール１４”は、コア・ネットワーク支援情報に基づいて、ユーザ機器に対応する接続状態支援パラメータを決定し、コア・ネットワーク支援情報が、ユーザ機器に対応する、短い非アクティビティ・タイマ情報と、より長い非アクティビティ・タイマ情報とを備えている場合、スケジューリング・モジュール１８”は、ｅＮＢとユーザ機器のデータ情報送信状態と連携した短い非アクティビティ・タイマ情報に基づいて、ユーザ機器に対応するスケジューリング戦略を決定する。
【００８１】
本明細書では、ｅＮＢの、第１の支援送信モジュール１１”、要求送信モジュール１２”、第２の支援取得モジュール１３”、および第２の支援決定モジュール１４”は、ここでは詳述されないが、参照によって組み込まれている図１に図示された対応するモジュールと同一であるか実質的に同一である。
【００８２】
コア・ネットワーク支援情報が、ユーザ機器に対応する短い非アクティビティ・タイマ情報と、より長い非アクティビティ・タイマ情報とを含む場合、スケジューリング・モジュール１８”は、ｅＮＢとユーザ機器のデータ情報送信状態と連携した短い非アクティビティ・タイマ情報に基づいて、ユーザ機器に対応するスケジューリング戦略を決定する。
【００８３】
具体的には、より長い非アクティビティ・タイマが終了した場合、接続解放がユーザ機器に対して実行される。
【００８４】
ｅＮＢがユーザ・ハンドオーバ決定を下した場合、短い非アクティビティ・タイマが終了せず、既存のデータ情報送信が現在ないのであれば、ハンドオーバがユーザ機器に対して実行される。
【００８５】
ｅＮＢがユーザ・ハンドオーバ決定を下した場合、短い非アクティビティ・タイマが終了し、既存のデータ情報送信が現在ないのであれば、接続解放がユーザ機器に対して実行される。
【００８６】
ｅＮＢがユーザ・ハンドオーバ決定を下した場合、既存のデータ情報送信が現在存在するのであれば、ハンドオーバがユーザ機器に対して実行される。
【００８７】
このように、ユーザ機器を接続状態に維持する時間が最適化され、その間、ユーザ機器の移動を予測することは必要とされない。
【００８８】
図４は、本発明の別の態様に従って、コア・ネットワーク要素デバイスおよびｅＮＢの協調によって接続状態支援パラメータを決定する方法のフロー図を図示する。具体的には、ステップｓ１では、ｅＮＢは、ユーザ機器に対応する無線アクセス・ネットワーク支援情報と接続解放時間情報とを、対応するコア・ネットワーク要素へ送信し、それに相応して、ステップｓｌでは、コア・ネットワーク要素は、ユーザ機器に対応する無線アクセス・ネットワーク支援情報と接続解放時間情報とを取得し、ステップｓ２では、ｅＮＢは、コア・ネットワーク要素に、ユーザ機器のネットワーク・アクセス・サービスを求める要求を送信し、それに相応して、ステップｓ２では、コア・ネットワーク要素は、ユーザ機器に対応するネットワーク・アクセス・サービスを求める要求を取得し、ステップｓ３では、コア・ネットワーク要素は、無線アクセス・ネットワーク支援情報と接続解放時間情報とに基づいて、ネットワーク・アクセス・サービスを求める要求に対応するコア・ネットワーク支援情報を決定し、ステップｓ４では、コア・ネットワーク要素は、ユーザ機器に対応する接続状態支援パラメータとして使用するために、ネットワーク・アクセス・サービスを求める要求に対応するコア・ネットワーク支援情報をｅＮＢへ送信し、それに相応して、ステップｓ４では、ｅＮＢは、コア・ネットワーク要素によって提供されるコア・ネットワーク支援情報を取得し、コア・ネットワーク支援情報は、ネットワーク・アクセス・サービスを求める要求に対応し、ステップｓ５では、ｅＮＢは、コア・ネットワーク支援情報に基づいて、ユーザ機器に対応する接続状態支援パラメータを決定する。
【００８９】
本明細書では、ｅＮＢがＲＡＮ（無線アクセス・ネットワーク）に存在する一方、コア・ネットワーク要素はＣＮ（コア・ネットワーク）に存在し、ここで、コア・ネットワーク要素は、１つまたは複数のＭＭＥ（モビリティ管理エンティティ）、または、１つまたは複数のＳＧＳＮ（サービス提供ＧＰＲＳサポート・ノード）を備える。
【００９０】
ステップｓｌでは、ｅＮＢは、対応するコア・ネットワーク要素へ、ユーザ機器に対応する無線アクセス・ネットワーク支援情報と接続解放時間情報とを送信し、それに相応して、ステップｓ１では、コア・ネットワーク要素は、ユーザ機器に対応する無線アクセス・ネットワーク支援情報と接続解放時間情報とを取得する。
【００９１】
具体的には、ステップｓｌでは、ｅＮＢは、ＲＡＮにおいて、たとえばＳ１−ＡＰプロトコルを用いることによって、ユーザ機器に対応する無線アクセス・ネットワーク支援情報と接続解放時間情報とを送信する。
【００９２】
この実施形態では、接続解放時間情報は、たとえば、とりわけ接続確立時間、解放要求時間、解放完了時間のような、接続処理中のユーザ機器の関連時間情報を含む。
【００９３】
無線アクセス・ネットワーク支援情報（ＲＡＮ支援情報）は、以下のうちの少なくともいずれか１つを備える。
−  ユーザ機器に対応する不連続受信パラメータ、
−  ユーザ機器に対応する短い非アクティビティ・タイマ情報、
−  ユーザ機器に対応する長い非アクティビティ・タイマ情報、
−  ユーザ機器のパケット到着間時間の統計、及び、
−  ユーザ機器の非アクティビティ・タイマの現在のカウント。
【００９４】
好適には、ｅＮＢはユーザ機器へＲＲＣ接続解放要求を送信し得、コア・ネットワーク要素へ、ユーザ機器に対応するコンテキスト解放要求を送信し得、コア・ネットワーク要素は、ユーザ機器に対応するコンテキスト解放要求に基づいて、ｅＮＢへ、ユーザ機器に対応するコンテキスト解放コマンドを送信し、ｅＮＢは、コンテキスト解放コマンドに基づいてユーザ機器への接続を解放し、コア・ネットワーク要素へ、ユーザ機器のコンテキスト解放コマンド完了情報を送信する。
【００９５】
この実施形態では、コンテキスト解放コマンド完了情報は、ユーザ機器に対応する無線アクセス・ネットワーク支援情報と接続解放時間情報とを含む。
【００９６】
すなわち、ｅＮＢは、ｅＮＢの中で、
−  ユーザ機器へＲＲＣ接続解放要求を送信し、対応するコア・ネットワーク要素へユーザ機器のコンテキスト解放要求を送信し、
−  コンテキスト解放要求に対応するユーザ機器のコンテキスト解放コマンドを取得し、コンテキスト解放コマンドは、コア・ネットワーク要素によって送信され、
−  ユーザ機器のコンテキスト解放コマンドに基づいて、コア・ネットワーク要素へ、ユーザ機器のコンテキスト解放コマンドに対応するユーザ機器のコンテキスト解放コマンド完了情報を送信し、ユーザ機器のコンテキスト解放コマンド完了情報は、ユーザ機器に対応する無線アクセス・ネットワーク支援情報と接続解放時間情報とを含む。
【００９７】
コア・ネットワーク要素では、コア・ネットワーク要素は、
−  ユーザ機器のコンテキスト解放要求を取得し、
−  コンテキスト解放要求に対応するｅＮＢへ、ユーザ機器のコンテキスト解放要求に対応するユーザ機器のコンテキスト解放コマンドを送信し、
−  ユーザ機器のコンテキスト解放コマンドに対応するユーザ機器のコンテキスト解放コマンド完了情報を取得し、ユーザ機器のコンテキスト解放コマンド完了情報は、ｅＮＢによって提供され、ユーザ機器に対応する無線アクセス・ネットワーク支援情報と接続解放時間情報とを含む。
【００９８】
すなわち、ユーザ機器が、ｅＮＢとの接続を解放した場合、ｅＮＢは、コア・ネットワーク要素へ、ユーザ機器に対応する無線アクセス・ネットワーク支援情報と接続解放時間情報とを送信するであろう。
【００９９】
より好適には、ｅＮＢは、予め決定された解放条件に基づいて、ユーザ機器へ、ＲＲＣ接続解放要求を送信し得る。予め決定された解放条件は、以下のうちの少なくともいずれか１つを含む。
−  ユーザ機器に対応するより長い非アクティビティ・タイマが終了する。
−  ユーザ機器に対応する短い非アクティビティ・タイマが終了し、現在転送されているデータ情報が存在しないケースにおいて、ユーザ機器へ補正解放を実行する。
【０１００】
ステップｓ２では、ｅＮＢは、コア・ネットワーク要素へ、ユーザ機器のネットワーク・アクセス・サービスを求める要求を送信し、それに相応して、ステップｓ２では、コア・ネットワーク要素は、ユーザ機器に対応するネットワーク・アクセス・サービスを求める要求を取得する。
【０１０１】
具体的には、ステップｓ２では、ｅＮＢは、ユーザ機器のネットワーク・アクセス・サービスを求める要求を取得する。ネットワーク・アクセス・サービスを求める要求は、ユーザ機器によってｅＮＢへ送信され得る。たとえば、ユーザ機器が、送信のための新たな小さなデータを取得した場合、ユーザ機器は、ｅＮＢへネットワーク・アクセス・サービスを求める要求を送信し、その後、ｅＮＢは、ＮＡＳプロトコルを用いて、コア・ネットワーク要素へ、ユーザ機器のネットワーク・アクセス・サービスを求める要求を送信する。
【０１０２】
それに相応して、ステップｓ２では、コア・ネットワーク要素は、ＮＡＳプロトコルを用いて、ユーザ機器に対応するネットワーク・アクセス・サービスを求める要求を、ｅＮＢとのインタラクションによって取得する。
【０１０３】
ここで、ユーザ機器と、ステップｓｌにおける無線アクセス・ネットワーク支援情報と接続解放時間情報とに対応するユーザ機器とは、同じ機器であり、ステップｓｌにおいて、コア・ネットワーク要素は、無線アクセス・ネットワーク支援情報と接続解放時間情報とに対応するユーザ機器のユーザ機器ＩＤ情報を記録する。コア・ネットワーク要素が、ユーザ機器のネットワーク・アクセス・サービスを求める要求を取得した場合、コア・ネットワーク要素は、ネットワーク・アクセス・サービスを求める要求に対応するユーザ機器のユーザ機器ＩＤ情報を認証する。コア・ネットワーク要素が、ユーザ機器ＩＤ情報に対応する無線アクセス・ネットワーク支援情報と接続解放時間情報とを含むのであれば、ステップｓ３が連続的に実行される。
【０１０４】
当業者であれば、ここで、ユーザ機器は、１つまたは複数のｅＮＢを介して、ネットワーク・アクセス・サービスを求める要求を送信し得る、すなわち、ユーザ機器は、第１のｅＮＢを介して、対応するコア・ネットワーク要素へ、ユーザ機器に対応する無線アクセス・ネットワーク支援情報と接続解放時間情報とを送信し得、その後、ユーザ機器は、第１のｅＮＢまたは第２のｅＮＢを介して、コア・ネットワーク要素へ、ユーザ機器のネットワーク・アクセス・サービスを求める要求を送信することを理解するであろう。
【０１０５】
ステップｓ３では、コア・ネットワーク要素は、無線アクセス・ネットワーク支援情報と接続解放時間情報とに基づいて、ネットワーク・アクセス・サービスを求める要求に対応するコア・ネットワーク支援情報を決定する。
【０１０６】
具体的には、ステップｓ３では、コア・ネットワーク要素は、接続解放時間情報における複数の時間パラメータと、無線アクセス・ネットワーク支援情報における種々の種類のパラメータとによって、無線アクセス・ネットワーク支援情報と接続解放時間情報とに基づいて、コア・ネットワーク支援情報を決定する。コア・ネットワーク支援情報は、ネットワーク・サービスを求める要求に対応する。ネットワーク・サービスを求める要求は、ユーザ機器のユーザ機器ＩＤを含むので、コア・ネットワーク支援情報は、ユーザ機器にも対応する。
【０１０７】
本明細書では、コア・ネットワーク支援情報は、以下のうちの少なくともいずれか１つを含む。
−  ユーザ機器に対応する不連続受信パラメータ（ＤＲＸパラメータ）、
−  ユーザ機器に対応する短い非アクティビティ・タイマ情報、及び、
−  ユーザ機器に対応するより長い非アクティビティ・タイマ情報。
【０１０８】
好適には、コア・ネットワーク支援情報はさらに以下を含む。
−  ユーザ機器に対応するパケット到着間時間情報。
【０１０９】
ここで、上記のパラメータは以下のように説明される。
【０１１０】
１．ユーザ機器に対応する不連続受信パラメータ。不連続受信パラメータは、ＤＲＸサイクルおよびｏｎ持続タイマを含む。
【０１１１】
接続モードにおいて、ユーザ機器のＤＲＸサイクルは、ＰＤＣＣＨを不連続的にモニタするために使用される。ＤＲＸサイクルの値が長いほど、より多くの電力消費量が節約されるが、情報喪失の可能性も高くなり、ＤＲＸサイクルの値がより短くなると、情報を喪失する可能性も低くなり、その間、効率が低下する。異なるアプリケーションについては、異なるトラフィック・モデル／機能により、ＤＲＸサイクルの値もまた異なる。ＳＤＤＴＥ  ＵＥのために適切な値を設定することは、ｅＮＢのために注意深くなされるものとする。
【０１１２】
ＭＡＣレイヤでは、ｏｎ持続タイマは、ＤＲＸサイクルの開始時において、連続したＰＤＣＣＨサブフレームの数を指定する。ＤＲＸサイクル自体と同様に、ｅＮＢは、さらにＳＤＤＴＥ  ＵＥのための適切な値を設定できる。
【０１１３】
２．ユーザ機器に対応する、より長い非アクティビティ・タイマ情報および短い非アクティビティ・タイマ情報。
【０１１４】
新たなＲＲＣ接続確立を初期化するためのシグナリングは、ハンドオーバ手順におけるシグナリングよりもはるかに大きいものではないので、非アクティビティ・タイマが終了する前に、１つよりも多くのハンドオーバ手順が存在するのであれば、シグナリング・オーバヘッドはより大きくなるであろう。
【０１１５】
したがって、２つの非アクティビティ・タイマ、すなわち、短い非アクティビティ・タイマと、より長い非アクティビティ・タイマが存在し、両方とも、ＵＥを接続モードまたはアイドル・モードに維持するための効率的な決定をｅＮＢが下すことを支援するための支援情報として提供されている。短い非アクティビティ・タイマが終了し、ユーザ機器が、より長い非アクティビティ・タイマの終了前にハンドオーバを実行するとｅＮＢが決定すると直ちに、ＵＥは、アイドル・モードへハンドオーバされるであろう。
【０１１６】
ハンドオーバが直ちに発生し、ハンドオーバされるべきデータが無い場合、ＵＥを接続モードに維持することは、シグナリング節約の目的のために有益ではない。このスキームは、ＵＥの移動に関する予測を必要としない接続モードにＵＥを維持する時間を最適化する。
【０１１７】
３．ユーザ機器に対応するパケット到着間時間情報。
【０１１８】
ＲＡＮでは、ＵＥを接続モードに維持することが考慮されるパケット到着間時間／ＵＥ非アクティビティ・サイクルのためのより正確な最大値に関する結論を下すことはできない。アイドル・モードでは、移動に関するあらゆる履歴情報が、ＵＥが移動無しであるか新たなｅＮＢに存在するかに関わらず、新たなデータ・アクセスにおいて利用不可能になるため、ｅＮＢにおいて、パケット到着間時間／ＵＥ非アクティビティ期間のためのより正確な最大値を発見するのに、ある程度の時間を要し得る。
【０１１９】
パケット到着分布は、長い接続モードの効率にインパクトを与えるであろう。たとえば、長い接続を維持することは、高密度パケット到着のケースにおいて最も効率的である。しかし、他のケースでは、低密度パケット到着は、長い接続をむしろ非効率的にするであろう。さらに、多くのＵＥが接続モードに維持されるが、まれにしかアクティブにならないのであれば、たとえば、ＰＵＣＣＨリソースのようなラジオ・リソース用途において負の効果が存在し得る。
【０１２０】
したがって、接続状態またはアイドル状態に維持するために、各ＵＥを指定することによって、周波数（小さな）データ送信のためのシグナリング負荷を低減することが有利である。データ到着時間情報が定義され得、直前の接続時間においてｅＮＢによって収集され得、次の接続では、コア・ネットワーク要素が、パケット到着時間情報を新たなｅＮＢへ転送するであろう。したがって、新たなｅＮＢは、ＵＥをどれくらい長く接続モードに維持するのかについて経験的な決定を行い得る。
【０１２１】
好適には、ステップｓ３において、コア・ネットワーク要素は、ユーザ機器のアクティビティ動的モニタリング情報を取得し、アクティビティ動的モニタリング情報と連携した無線アクセス・ネットワーク支援情報と接続解放時間情報とに基づいて、ユーザ機器に対応するコア・ネットワーク支援情報を決定し得る。
【０１２２】
具体的には、ステップｓ３では、コア・ネットワーク要素は、たとえば、接続情報、ハンドオーバ情報、移動情報、状態情報等のようなユーザ機器のアクティビティ動的モニタリング情報をリアル・タイムで取得するためにｅＮＢと相互作用し、アクティビティ動的モニタリング情報と連携した無線アクセス・ネットワーク支援情報と接続解放時間情報とに基づいて、ユーザ機器に対応するコア・ネットワーク支援情報を決定する。
【０１２３】
ステップｓ４では、コア・ネットワーク要素は、ユーザ機器に対応する接続状態支援パラメータとして使用するために、ネットワーク・アクセス・サービスを求める要求に対応するコア・ネットワーク支援情報をｅＮＢへ送信し、それに相応して、ステップｓ４では、ｅＮＢが、コア・ネットワーク要素によって提供されたコア・ネットワーク支援情報を取得する。コア・ネットワーク支援情報は、ネットワーク・アクセス・サービスを求める要求に対応する。
【０１２４】
具体的には、ステップｓ４では、コア・ネットワーク要素は、ネットワーク・アクセス・サービスを求める要求に対応するコア・ネットワーク支援情報をｅＮＢへ直接的に送信するか、または、ユーザ機器に対応する接続状態支援パラメータとして使用するために、ネットワーク・アクセス・サービスを求める要求に対応するＳ１−ＡＰ初期コンテキスト確立要求の情報と連携したコア・ネットワーク支援情報をｅＮＢへ送信する。
【０１２５】
それに相応して、ステップｓ４では、ｅＮＢが、コア・ネットワーク要素によって提供されたコア・ネットワーク支援情報を取得し、コア・ネットワーク支援情報は、ネットワーク・アクセス・サービスを求める要求に対応する。
【０１２６】
ステップｓ５では、ｅＮＢは、コア・ネットワーク支援情報に基づいて、ユーザ機器に対応する接続状態支援パラメータを決定する。
【０１２７】
具体的には、ステップｓ５では、ｅＮＢは、コア・ネットワーク支援情報に基づいて、ユーザ機器に対応する接続状態支援パラメータとしてコア・ネットワーク支援情報を採用し、これによって、ユーザ機器およびｅＮＢが接続状態にある場合、ｅＮＢは、ユーザ機器に対応する接続状態支援パラメータを用いてユーザ機器の接続状態を制御する。
【０１２８】
図５は、本発明の１つの好適な実施形態に従って、コア・ネットワーク要素デバイスおよびｅＮＢの協調によって接続状態支援パラメータを決定する方法のフロー図を図示する。具体的には、ステップｓ１’では、ｅＮＢは、ユーザ機器に対応する無線アクセス・ネットワーク支援情報と接続解放時間情報とを、対応するコア・ネットワーク要素へ送信し、それに相応して、ステップｓ１’では、コア・ネットワーク要素は、ユーザ機器に対応する無線アクセス・ネットワーク支援情報と接続解放時間情報とを取得し、ステップｓ２’では、ｅＮＢは、コア・ネットワーク要素へ、ユーザ機器のネットワーク・アクセス・サービスを求める要求を送信し、それに相応して、ステップｓ２’では、コア・ネットワーク要素は、ユーザ機器に対応するネットワーク・アクセス・サービスを求める要求を取得し、ステップｓ３’では、コア・ネットワーク要素は、無線アクセス・ネットワーク支援情報と接続解放時間情報とに基づいて、ネットワーク・アクセス・サービスを求める要求に対応するコア・ネットワーク支援情報を決定し、ステップｓ４’では、コア・ネットワーク要素は、ユーザ機器に対応する接続状態支援パラメータとして使用するために、ネットワーク・アクセス・サービスを求める要求に対応するコア・ネットワーク支援情報をｅＮＢへ送信し、それに相応して、ステップｓ４’では、ｅＮＢは、コア・ネットワーク要素によって提供されたコア・ネットワーク支援情報を取得し、コア・ネットワーク支援情報は、ネットワーク・アクセス・サービスを求める要求に対応し、ステップｓ５’では、ｅＮＢは、コア・ネットワーク支援情報に基づいて、ユーザ機器に対応する接続状態支援パラメータを決定し、ステップｓ６’では、ｅＮＢは、ユーザ機器の移動状態レポートを取得し、ステップｓ７’では、ｅＮＢは、コア・ネットワーク要素支援情報と連携した移動状態レポートに基づいて、ｅＮＢにおいて、ユーザ機器に対応する接続状態支援パラメータを調節し、ステップｓ８’では、ｅＮＢは、接続状態支援パラメータに基づいて、ユーザ機器に対応する無線アクセス・ネットワーク支援情報を更新する。
【０１２９】
本明細書では、ステップｓ１’、ステップｓ２’、ステップｓ３’、ステップｓ４’、およびステップｓ５’は、ここでは詳述されないが、参照によって組み込まれている図４に図示された対応するステップと同一であるかまたは実質的に同一である。
【０１３０】
ステップｓ６’では、ｅＮＢは、ユーザ機器の移動状態レポートを取得する。
【０１３１】
具体的には、ステップｓ６’では、ｅＮＢは、ユーザ機器とのインタラクションによって、ユーザ機器の移動状態レポートを取得し、移動状態レポートは、たとえば、アイドル／接続状態におけるユーザ機器の移動状態、ハンドオーバ時間、セルの遷移、アイドル時間、およびその他の情報を含む。
【０１３２】
ここで、好適には、ｅＮＢは、ユーザ機器がｅＮＢとの接続を確立した場合にのみ、ユーザ機器の移動状態レポートを取得し、この事例では、移動状態レポートは、たとえば、アイドル状態におけるユーザ機器の移動状態、ハンドオーバ時間、セルの遷移、アイドル時間、およびその他の情報を含む。
【０１３３】
その理由は、状態遷移とハンドオーバ・シグナリングとの間の最適なトレード・オフは、セル・サイズとＵＥの移動とに依存することである。したがって、どれくらい多くのハンドオーバ・シグナリングが期待され得るのかを評価できるようにするために、ＵＥを、より長い時間、接続モードに維持することに関する決定は、ＵＥの移動に関する予測を必要とするであろう。
【０１３４】
Ｈｅｔｎｅｔ移動ＷＩによれば、ユーザ機器は、ＲＲＣ接続設定時に、ネットワークへ移動情報を提供すべきである。したがって、直近の接続からユーザの移動状態を記憶することが必要とされておらず、代わりに、ユーザ機器の移動状態レポートは、ユーザ機器が、ＲＲＣ接続の確立を実行した場合に、取得される。
【０１３５】
ステップｓ７’では、ｅＮＢは、たとえば、非アクティビティ・タイマ情報および／またはユーザのＤＲＸパラメータ等の調節のように、コア・ネットワーク要素支援情報と連携した移動状態レポートに基づいて、ｅＮＢにおいて、ユーザ機器に対応する接続状態支援パラメータを調節する。
【０１３６】
ステップｓ８’では、ｅＮＢは、接続状態支援パラメータに基づいて、ユーザ機器に対応する無線アクセス・ネットワーク支援情報を更新する。
【０１３７】
ここで、更新は、即時的な更新であり得る。さらに、ユーザ機器およびｅＮＢが接続解放を実行している場合、ｅＮＢは、記憶のために、無線アクセス・ネットワーク支援情報を、コア・ネットワーク要素へ送信する必要があるので、ユーザ機器に対応する無線アクセス・ネットワーク支援情報はまた、ユーザ機器とｅＮＢとが、接続解放を実行した場合、接続状態支援パラメータに基づいてさらに更新され得、その間、更新された無線アクセス・ネットワーク支援情報が、コア・ネットワーク要素へ送信される。
【０１３８】
図６は、本発明の１つの好適な実施形態に従って、ユーザ機器に対応するスケジューリング戦略を決定する方法のフロー図を図示する。具体的には、コア・ネットワーク支援情報が、ユーザ機器に対応する、短い非アクティビティ・タイマ情報と、より長い非アクティビティ・タイマ情報とを備えている場合、ｅＮＢは、ｅＮＢとユーザ機器のデータ情報送信状態と連携した短い非アクティビティ・タイマ情報に基づいて、ユーザ機器に対応するスケジューリング戦略を決定する。
【０１３９】
コア・ネットワーク支援情報が、ユーザ機器に対応する短い非アクティビティ・タイマ情報と、より長い非アクティビティ・タイマ情報とを含む場合、ｅＮＢは、ｅＮＢとユーザ機器のデータ情報送信状態と連携した短い非アクティビティ・タイマ情報に基づいて、ユーザ機器に対応するスケジューリング戦略を決定する。
【０１４０】
具体的には、より長い非アクティビティ・タイマが終了した場合、接続解放がユーザ機器に対して実行される。
【０１４１】
ｅＮＢがユーザ・ハンドオーバ決定を下した場合、短い非アクティビティ・タイマが終了せず、既存のデータ情報送信が現在存在しないのであれば、ハンドオーバがユーザ機器に対して実行される。
【０１４２】
ｅＮＢがユーザ・ハンドオーバ決定を下した場合、短い非アクティビティ・タイマが終了し、既存のデータ情報送信が現在存在しないのであれば、接続解放が、ユーザ機器に対して実行される。
【０１４３】
ｅＮＢがユーザ・ハンドオーバ決定を下した場合、既存のデータ情報送信が現在存在するのであれば、ハンドオーバがユーザ機器に対して実行される。
【０１４４】
このように、ユーザ機器を接続状態に維持する時間が最適化され、その間、ユーザ機器の移動を予測することは必要とされない。
【０１４５】
当業者にとって、本発明は、前述した例示的な実施形態の詳細に限定されず、さらに、本発明の精神または基本的な特性から逸脱しないとの前提の下で、本発明は他の特定の形式で遂行され得ることが明らかであろう。したがって、実施形態は、どの点からであるかに関わらず、例示的であり非限定的であると考えられるべきであり、本発明の範囲は、上記記載の代わりに、添付された請求項によって定義され、請求項内にある等価な構成要素と、本発明における範囲内のすべての変形との意味をカバーすることを目的としている。請求項内のどの参照符号も、関連する請求項を限定するものとは認められないものとする。さらに、明らかに、「備える／含む」という用語は、他の構成要素またはステップを除外するものではなく、単数は複素数を除外せず、デバイス請求項において記載された複数の構成要素または手段はまた、ソフトウェアまたはハードウェアを介した１つの構成要素または手段によっても達成され得、第１および第２のような用語は、任意の特定の順序ではなく名称を表わすためにのみ使用される。
【図１】
2016529824.tif 000003
【図２】
2016529824.tif 000004
【図３】
2016529824.tif 000005
【図４】
2016529824.tif 000006
【図５】
2016529824.tif 000007
【図６】
2016529824.tif 000008
【国際調査報告】
2016529824.tif 000009
2016529824.tif 000010
2016529824.tif 000011